(57)【要約】  シグナルプロセッサにおいて、サンプリング装置（ＳＨ１１、ＳＨ１２、ＳＨ１３、ＡＤＣ１）は、少なくとも第１の信号（ＹＡ）および第２の信号（ＵＡ、ＶＡ）をサンプリングして、サンプリングされた第１の信号（ＹＤ１）およびサンプリングされた第２の信号（ＵＤ１、ＶＤ１）をそれぞれ取得する。折り返し補償器（ＬＰＦ１１、ＬＰＦ１２、ＬＰＦ１３、ＳＵＢ１１、ＳＵＢ１２、ＭＵＸ１２）は、第２の信号（ＵＡ、ＶＡ）から派生する成分を実質上含まないサンプリングされた第２の信号（ＵＤ１、ＶＤ１）のスペクトル成分に基づいて、サンプリングされた第１の信号（ＹＤ１）の折り返し成分を補償する。
2009501481.tif 000002
【特許請求の範囲】
【請求項１】
少なくとも第１の信号（ＹＡ）および第２の信号（ＵＡ、ＶＡ）をサンプリングして、サンプリングされた第１の信号（ＹＤ１；ＹＳ２）およびサンプリングされた第２の信号（ＵＤ１、ＶＤ１；ＵＳ２、ＶＳ２）をそれぞれ取得するサンプリング装置（ＳＨ１１、ＳＨ１２、ＳＨ１３、ＡＤＣ１；ＳＨ２１、ＳＨ２２、ＳＨ２３）と、
前記第２の信号（ＵＡ、ＶＡ）から派生する成分を実質上含まない前記サンプリングされた第２の信号（ＵＤ１、ＶＤ１；ＵＳ２、ＶＳ２）のスペクトル部分に基づいて、前記サンプリングされた第１の信号（ＹＤ１；ＹＳ２）における折り返し成分を補償する折り返し補償器（ＬＰＦ１１、ＬＰＦ１２、ＬＰＦ１３、ＳＵＢ１１、ＳＵＢ１２、ＭＵＸ１２；ＢＰＦ、ＳＣＲ、ＳＵＢ２）と、
を具えるシグナルプロセッサ（ＶＤＤ）。
【請求項２】
前記サンプリング装置（ＳＨ１１、ＳＨ１２、ＳＨ１３、ＡＤＣ１）は、アナログデジタル変換器（ＡＤＣ１）を含み、
前記折り返し補償器（ＬＰＦ１１、ＬＰＦ１２、ＬＰＦ１３、ＳＵＢ１１、ＳＵＢ１２、ＭＵＸ１２）は、前記アナログデジタル変換器（ＡＤＣ１）から、サンプリングされた第１の信号（ＹＤ１）およびサンプリングされた第２の信号（ＵＤ１、ＶＤ１）を、デジタルサンプルのそれぞれのストリームの形式で受信するように結合された、請求項１に記載のシグナルプロセッサ。
【請求項３】
前記サンプリング装置（ＳＨ１１、ＳＨ１２、ＳＨ１３、ＡＤＣ１）は、
第１の信号（ＹＡ）に応答してアナログサンプルの第１のストリーム（ＹＳ１）を供給し、第２の信号（ＵＡ、ＶＡ）に応答してアナログサンプルの第２のストリーム（ＵＳ１、ＶＳ１）を供給するように構成した複数のサンプルホールド回路（ＳＨ１１、ＳＨ１２、ＳＨ１３）と、
アナログサンプルの第１のストリーム（ＹＳ１）から、およびアナログサンプルの第２のストリーム（ＵＳ１、ＶＳ１）からのアナログサンプルを含む多重化されたアナログサンプルのストリーム（ＭＳ１）を形成し、かつアナログの多重化されたサンプルのストリーム（ＭＳ１）を、前記アナログデジタル変換器（ＡＤＣ１）に供給するように構成したマルチプレクサ（ＭＵＸ１１）と、
前記アナログデジタル変換器（ＡＤＣ１）がアナログの多重化されたサンプルのストリーム（ＭＳ１）に応答して供給する多重化されたデジタルサンプルのストリーム（ＭＤ１）から、前記サンプリングされた第１の信号（ＹＤ１）およびサンプリングされた第２の信号（ＵＤ１、ＶＤ１）を抽出するように構成したデマルチプレクサ（ＤＭＸ１）と、
を具える請求項２に記載のシグナルプロセッサ。
【請求項４】
前記折り返し補償器（ＬＰＦ１１、ＬＰＦ１２、ＬＰＦ１３、ＳＵＢ１１、ＳＵＢ１２、ＭＵＸ１２）は、
サンプリングされた第２の信号（ＵＤ１、ＶＤ１）をフィルタ処理して折り返し補償サンプル（ＵＩＦ、ＶＩＦ）を取得するフィルタ装置（ＬＰＦ１１、ＳＵＢ１１、ＬＰＦ１２、ＳＵＢ１２）であって、第２の信号（ＵＡ、ＶＡ）から派生する成分を実質上含まないサンプリングされた第２の信号（ＵＤ１、ＶＤ１）のスペクトル部分におけるパスバンドを有するようにしたフィルタ装置（ＬＰＦ１１、ＳＵＢ１１、ＬＰＦ１２、ＳＵＢ１２）と、
サンプリングされた第１の信号（ＹＤ１）を折り返し補償サンプル（ＵＩＦ、ＶＩＦ）と合成する合成器（ＭＵＸ１２）と、
を具える請求項１に記載のシグナルプロセッサ。
【請求項５】
前記フィルタ装置（ＬＰＦ１１、ＳＵＢ１１、ＬＰＦ１２、ＳＵＢ１２）は、
サンプリングされた第２の信号（ＵＤ１、ＶＤ１）をフィルタ処理してサンプリングおよびフィルタ処理された第２の信号（ＵＦ、ＶＦ）を取得するフィルタ（ＬＰＦ１１、ＬＰＦ１２）であって、前記第２の信号（ＵＡ、ＶＡ）から派生する成分を実質上含むサンプリングされた第２の信号（ＵＤ１、ＶＤ１）のスペクトル部分におけるパスバンドを有するようにしたフィルタ（ＬＰＦ１１、ＬＰＦ１２）と、
サンプリングおよびフィルタ処理された第２の信号（ＵＦ、ＶＦ）を、サンプリングされた第２の信号（ＵＤ１、ＶＤ１）から減算して、前記折り返し補償サンプル（ＵＩＦ、ＶＩＦ）を得る減算器（ＳＵＢ１１、ＳＵＢ１２）と、
を具える請求項４に記載のシグナルプロセッサ。
【請求項６】
共通のクロック信号（ＭＣＫ１；ＭＣＫ２）の異なるクロックサイクルにて、前記サンプリング装置（ＳＨ１１、ＳＨ１２、ＳＨ１３、ＡＤＣ１；ＳＨ２１、ＳＨ２２、ＳＨ２３）に、前記第１の信号（ＹＡ）と第２の信号（ＵＡ、ＶＡ）とを交互にサンプリングさせるよう構成したクロックジェネレータ（ＣＫＧ１；ＣＫＧ２）を具える請求項１に記載のシグナルプロセッサ。
【請求項７】
前記サンプリングされた第１の信号（ＹＳ２）とサンプリングされた第２の信号（ＵＳ２、ＶＳ２）とを合成して、多重化された信号（ＭＳ２）を取得するよう構成したマルチプレクサ（ＭＵＸ２）を具え、
前記折り返し補償器（ＢＰＦ、ＳＣＲ、ＳＵＢ２）は、
折り返し補償サンプル（ＩＣＳ）を得るために、前記多重化された信号（ＭＳ２）をフィルタ処理するフィルタ装置（ＢＰＦ、ＳＣＲ）であって、前記第２の信号（ＵＡ、ＶＡ）から派生する成分を実質上含まないサンプリングされた第２の信号（ＵＳ２、ＶＳ２）のスペクトル部分内におけるパスバンドを有するフィルタ装置（ＢＰＦ、ＳＣＲ）と、
サンプリングされた第１の信号（ＹＳ２）を、折り返し補償サンプル（ＩＣＳ）と合成する合成器（ＳＵＢ２）と、
を具える請求項６に記載のシグナルプロセッサ。
【請求項８】
前記フィルタ装置（ＢＰＦ、ＳＣＲ）は、折り返し補償サンプル（ＩＣＳ）が、サンプリングされた第１の信号（ＹＳ２）から派生する成分を含まないようにするサンプル補正器（ＳＣＲ）を含む、請求項７に記載のシグナルプロセッサ。
【請求項９】
前記第１の信号（ＹＡ）に折り返し成分を発生させ易い周波数（２４．６ＭＨｚ）を供給するように構成した周波数発生器（ＸＣＯ）を具え、
前記フィルタ装置（ＢＰＦ、ＳＣＲ）は、前記周波数発生器（ＸＣＯ）が供給する周波数（２４．６ＭＨｚ）と一致する中心周波数を有するバンドパス特性を有するフィルタ（ＢＰＦ）を具える、請求項７に記載のシグナルプロセッサ。
【請求項１０】
少なくとも第１の信号（ＹＡ）および第２の信号（ＵＡ、ＶＡ）をサンプリングして、サンプリングされた第１の信号（ＹＤ１；ＹＳ２）およびサンプリングされた第２の信号（ＵＤ１、ＶＤ１；ＵＳ２、ＶＳ２）をそれぞれ取得するサンプリングステップと、
前記第２の信号（ＵＡ、ＶＡ）から派生する成分を実質上含まないサンプリングされた第２の信号（ＵＤ１、ＶＤ１；ＵＳ２、ＶＳ２）のスペクトル部分に基づいて、前記サンプリングされた第１の信号（ＹＤ１；ＹＳ２）における折り返し成分を補償する折り返し補償ステップと、
を含む信号処理方法。
【請求項１１】
シグナルプロセッサにロードされると、当該シグナルプロセッサが請求項１０に記載の方法を実行することを可能にする１組の命令を含むコンピュータプログラム製品。
【請求項１２】
請求項１に記載のシグナルプロセッサ（ＶＤＤ）と、前記信号処理装置が供給する出力信号をレンダリングする情報レンダリング装置（ＤＰＬ）とを具える情報レンダリングシステム（ＶＤＳ）。
【発明の詳細な説明】
【技術分野】
【０００１】
本発明は、少なくとも第１の信号および第２の信号をサンプリングするサンプリング装置を具えるシグナルプロセッサに関する。シグナルプロセッサは、例えば、表示すべきビデオ入力信号を処理するビデオプロセッサとすることができる。その場合、ルミナンス信号が第１の信号を構成し、クロミナンス信号が第２の信号を構成するようにできる。本発明はさらに、信号処理の方法、シグナルプロセッサ用のコンピュータプログラム製品、および情報レンダリングシステムにも関する。
【背景技術】
【０００２】
国際特許出願第０３／０５５２０７号明細書には、複数の入力信号用のアナログデジタル変換器をタイム・シェアリングすることは、ビデオおよび／またはオーディオシステムにおけるアナログデジタル変換器の数を低減させる周知の方法であると記載されている。このようなシステムにてアナログデジタル変換器を共有する技法の１つに、多重化がある。マルチプレクサは、アナログのＵおよびＶ入力信号を同時に受信して、イネーブル信号に応じて切り替えられ、受信したアナログのＵおよびＶ信号の選択された一方を交互に出力する。アナログデジタル変換器は、マルチプレクサからアナログのＵおよびＶ出力信号を受信して、クロック信号（クロック信号の各間隔は単一のクロックサイクルまたは時間間隔を規定する）に従って、受信したＵおよびＶ信号をデジタル化する。クロック信号の周波数は、イネーブル信号の周波数の２倍にすることができる。デマルチプレクサは、アナログデジタル変換器からデジタルのＵおよびＶ信号を受信して、イネーブル信号に従って切り替えられて、デジタルのＵおよびＶ信号を出力する。
【発明の開示】
【発明が解決しようとする課題】
【０００３】
本発明の目的は、信号処理を改善することにある。
【課題を解決するための手段】
【０００４】
本発明は、独立請求項により規定されるものである。有利な実施形態は従属請求項により規定する。
【０００５】
本発明の一実施態様によれば、シグナルプロセッサは以下の特徴を有する。サンプリング装置は、第１の信号および第２の信号をサンプリングして、それぞれサンプリングされた第１の信号およびサンプリングされた第２の信号を取得する。折り返し補償器は、第２の信号から派生する成分を実質上含まないサンプリングされた第２の信号のスペクトル部分に基づいて、サンプリングされた第１の信号における折り返し成分を補償する。
【０００６】
本発明は、以下の態様を想定している。信号のサンプリングは、いわゆる折り返し効果を伴う。折り返し効果は、周波数領域にて生じる。所定の帯域幅を有する信号を所定の有効なサンプリング周波数でサンプリングして、サンプリングされた信号を得るものとする。サンプリングされた信号は、サンプリングされる信号における単一のスペクトル成分から派生する種々のスペクトル成分を含むことになる。すなわち、サンプリングにより追加のスペクトル成分が導入され、これは一般に折り返し成分と呼ばれる。
【０００７】
折り返し成分は、有効なサンプリング周波数に依存する周波数を有する。一般に、有効なサンプリング周波数は、サンプリングされる信号の帯域幅の少なくとも２倍とする。このようにすると、信号の帯域幅以内にて折り返し成分が発生しなくなり、そうしないと歪みが生じることになる。さらに、信号は、その信号をサンプリングする前にフィルタリングして、他の信号が折り返し成分を発生しないようにする。このようなフィルタリングは、一般にアンチエイリアスフィルタリングと呼ばれる。
【０００８】
アンチエイリアスフィルタリングは、他の信号が折り返し成分を発生するのを防止するのには、必ずしも充分ではない。このことは、種々の異なる処理を実行する種々の異なる回路が、集積回路またはマイクロモジュールの一部を形成しているため、互いに比較的近接しているような信号処理の用途においては、特に顕著である。ある回路から他の回路への信号のクロストークによって、他の回路中に寄生信号が生じることがある。このようなクロストークは、回路が互いに比較的近接している場合、回避するのが困難である。一般に、クロストークのために生じる寄生信号を、例えばフィルタリングによって除去するのは困難であるか、または不可能である。
【０００９】
第１の信号が寄生信号と共にサンプリングされ、かつ第２の信号が同様な寄生信号と共にサンプリングされるものとする。このようなケースは、例えば前述したクロストークにより、多くの実際の実装にて起こり得る。サンプリングされた第１の信号およびサンプリングされた第２の信号は、その各々が寄生信号および（寄生信号を間接的に表す）折り返し成分を直接表すものを含んで得られることになる。サンプリングされた第１の信号における折り返し成分は、第１の信号から派生するスペクトル成分と一致し得る。その場合、折り返し成分を、これらのスペクトル成分と区別することができない。しかしながら、サンプリングされた第２の信号では、折り返し成分、および寄生信号を直接表すものは、それぞれ、第２の信号から派生する成分を実質上含まないスペクトル部分内に入ることがある。この場合、折り返し成分、および寄生信号を直接表すものは、第２の信号から派生するスペクトル成分と区別することができる。
【００１０】
上述した本発明の実施態様によれば、サンプリングされた第１の信号の折り返し成分は、第２の信号から派生する成分を実質上含まないサンプリングされた第２の信号のスペクトル部分に基づいて補償される。
【００１１】
ある意味では、サンプリングされた第２の信号の上述したスペクトル部分は、サンプリングされた第１の信号における折り返し成分についての情報を提供することができる。この情報を用いて、言ってみれば、その折り返し成分を補償するのである。したがって、本発明では、さもなければ、例えばアンチエイリアスフィルタリングによって抑圧するのも困難であった折り返し成分を補償できるようにする。これらの理由で、本発明によれば、比較的良好な信号処理ができる。
【００１２】
本発明の他の利点は、以下の観点に関するものである。原則的には、有効なサンプリング周波数を増大させることによって、折り返し効果による信号歪みを防止することができる。しかしながら、有効なサンプリング周波数を増やすことは、一般に、高い電力消費を伴うか、もしくは高価で高速な回路を必要とするか、またはその両方になる。上述したように、本発明によれば、折り返し成分を補償することができる。したがって、本発明によれば、比較的低い有効なサンプリング周波数で、歪みなく動作させることができる。これらの理由で、本発明によれば、電力効率およびコスト効率の良い実装ができる。
【００１３】
本発明のさらに他の利点は、以下の観点に関するものである。種々の異なる処理を行う極めて多様な種々の回路を、単一の半導体チップ上または単一のマイクロモジュール内に実装すると、通常、クロストークが生じることになる。本発明によれば、上述したようにアンチエイリアスフィルタリングがあまり有効でない、クロストークによる折り返し成分を補償することができる。したがって、本発明によれば、集積回路実装におけるように、たとえクロストークがあっても、比較的良質な信号処理ができる。例えば、ビデオプロセッサ、オーディオプロセッサ、およびコントローラを、必要に応じて、単一の半導体チップ上に実装し、これらの各プロセッサが比較的良質な信号処理をするようにできる。これらの理由で、本発明によれば、比較的良質な信号処理を行う集積回路を実装することができる。
【００１４】
本発明のこれらおよび他の態様を、図面を参照して、以下詳細に説明する。
【発明を実施するための最良の形態】
【００１５】
図１は、ビデオディスプレイセットＶＤＳを示す図である。ビデオディスプレイセットＶＤＳは、ビデオディスプレイドライバＶＤＤと、ディスプレイ装置ＤＰＬと、遠隔制御デバイスＲＣＤとを含む。ビデオディスプレイドライバＶＤＤは、入力回路ＩＮＰと、ビデオプロセッサＶＰＲと、オーディオプロセッサＡＰＲと、出力回路ＯＵＴと、水晶発振器ＸＣＯと、コントローラＣＴＲＬとを具えている。ビデオディスプレイドライバＶＤＤは、図示しない種々のビデオソースから、種々の入力ビデオ信号ＩＶＸ、ＩＶＹ、ＩＶＺを受信する。ディスプレイ装置ＤＰＬは、例えば液晶タイプのフラットパネルディスプレイとすることができる。
【００１６】
ビデオディスプレイドライバＶＤＤは、基本的に以下のように動作する。まずユーザが、彼または彼女の遠隔制御デバイスＲＣＤ上で、特定のビデオソースを選択するものとする。遠隔制御デバイスＲＣＤは、選択すべき特定のビデオソースを示すコマンドをコントローラＣＴＲＬに送信する。これに応答して、コントローラＣＴＲＬは、入力回路ＩＮＰにその特定のビデオソースを選択させる。
【００１７】
入力回路ＩＮＰは、ユーザが選択したビデオソースの入力ビデオ信号から、１組の信号を抽出する。この信号の組は、アナログのルミナンス信号ＹＡと、アナログの第１クロミナンス信号ＵＡと、アナログの第２クロミナンス信号ＶＡとを含んでいる。これらの信号は、ビデオ情報を表し、以下、まとめて、アナログビデオ信号ＹＡ、ＵＡ、ＶＡと称する。この信号の組はさらに、同期信号ＳＹと、オーディオ信号ＡＵとを含んでいる。同期信号ＳＹは、例えば水平同期成分および垂直同期成分のような、種々の成分を含むことができる。
【００１８】
アナログのルミナンス信号ＹＡは比較的大きな帯域幅を有し、これは典型的には５ＭＨｚである。アナログのルミナンス信号ＹＡは、０〜５ＭＨｚの範囲にわたる周波数帯のスペクトル成分を含むことができる。アナログの第１および第２のクロミナンス信号ＵＡ、ＶＡは比較的狭い帯域幅を有し、これは典型的には１．５ＭＨｚである。第１および第２のクロミナンス信号ＵＡ、ＶＡは、０〜１．５ＭＨｚの範囲にわたる周波数帯のスペクトル成分を含むことができる。
【００１９】
ビデオプロセッサＶＰＲは、アナログビデオ信号ＹＡ、ＵＡ、ＶＡをデジタルビデオ信号に変換し、これは、例えば２７ＭＨｚのサンプル周波数を有する。この後、ビデオプロセッサＶＰＲは、これらのデジタルビデオ信号を処理して、例えばダブルウインドウ、ピクチャインピクチャおよびパノラマビューなど、種々のビデオ機能を提供する。ビデオプロセッサＶＰＲはまた、例えばシャープネス、ブライトネスおよびコントラストなど、種々の表示特性を良くすることができる。ユーザは、遠隔制御デバイスＲＣＤによって、ビデオ機能を選択して、１つ以上の表示特性を調整することができる。ビデオプロセッサＶＰＲは、処理されたビデオ信号ＹＰ、ＵＰ、ＶＰを出力回路ＯＵＴに供給する。オーディオプロセッサＡＰＲは、入力回路ＩＮＰが供給するオーディオ信号ＡＵを処理して、処理されたオーディオ信号ＡＰを取得し、この信号を出力回路ＯＵＴが受信する。
【００２０】
出力回路ＯＵＴは、処理されたビデオ信号ＹＰ、ＵＰ、ＶＰ、同期信号ＳＹ、および処理されたオーディオ信号ＡＰに応答して、ディスプレイドライバ信号ＤＤＳを供給する。このために、出力回路ＯＵＴは、例えば増幅、レベルシフティング、バイアス電圧の発生および同期など、種々の信号処理動作を実行できる。ディスプレイドライバ信号ＤＤＳを受信するディスプレイ装置ＤＰＬは、ユーザが選択した入力ビデオ信号を表示する。ディスプレイ装置ＤＰＬはさらに、入力ビデオ信号に含まれる音を発生することができる。
【００２１】
水晶発振器ＸＣＯはシステムクロック信号ＣＫＳを発生し、これは２４．６ＭＨｚの周波数を有する。オーディオプロセッサＡＰＲおよびコントローラＣＴＲＬは、システムクロック信号ＣＫＳを受信する。システムクロック信号ＣＫＳは、オーディオプロセッサＡＰＲまたはコントローラＣＴＲＬの一部を成すスイッチング素子が状態を変えることができる離散的な瞬時を規定する。
【００２２】
図２は、ビデオプロセッサＶＰＲの第１の実施例を示し、以下、この例を第１のビデオプロセッサの実施例と称する。第１のビデオプロセッサの実施例は、３つのサンプルホールド回路ＳＨ１１、ＳＨ１２、ＳＨ１３、を具え、それぞれが各アナログビデオ信号ＹＡ、ＵＡ、ＶＡに対応する。第１のビデオプロセッサの実施例はさらに、２つのマルチプレクサＭＵＸ１１、ＭＵＸ１２と、アナログデジタル変換器ＡＤＣ１と、デマルチプレクサＤＭＸ１と、デジタルシグナルプロセッサＤＳＰ１と、クロックジェネレータＣＫＧ１とを有する。第１のビデオプロセッサの実施例はさらに、３つのローパスフィルタＬＰＦ１１、ＬＰＦ１２、ＬＰＦ１３と、２つの減算器ＳＵＢ１１、ＳＵＢ１２とを有する。第１のビデオプロセッサの実施例はさらに、いずれものフィルタ遅延を補償する、図示しない遅延回路を含むようにもできる。
【００２３】
第１のビデオプロセッサの実施例は、以下のように動作する。３つのサンプルホールド回路ＳＨ１１、ＳＨ１２、ＳＨ１３は、アナログビデオ信号ＹＡ、ＵＡ、ＶＡをそれぞれサンプリングする。クロックジェネレータＣＫＧ１は、３つのサンプルホールド回路ＳＨ１１、ＳＨ１２、ＳＨ１３がサンプルを取得するそれぞれの瞬時を規定する。クロックジェネレータＣＫＧ１は、８１ＭＨｚの周波数を有するマスタークロック信号ＭＣＫ１に基づいて、これらそれぞれの瞬時を規定する。アナログビデオ信号ＹＡ、ＵＡ、ＶＡのうち１つのサンプルは、マスタークロック信号ＭＣＫ１のクロックサイクルの期間中に取得する。
【００２４】
図３は、３つのサンプルホールド回路ＳＨ１１、ＳＨ１２、ＳＨ１３が、アナログビデオ信号ＹＡ、ＵＡ、ＶＡのそれぞれを、周期的に１つずつサンプリングする様子を示す図である。図３には、２つの連続するサンプリングサイクルＳＣ１、ＳＣ２を示してある。サンプリングサイクルＳＣ１は、マスタークロック信号ＭＣＫ１のクロックサイクルＣＣ１、ＣＣ２、ＣＣ３を含む。サンプリングサイクルＳＣ２は、マスタークロック信号ＭＣＫ１のクロックサイクルＣＣ４、ＣＣ５、ＣＣ６を含む。
【００２５】
サンプリングサイクルＳＣ１では、サンプルホールド回路ＳＨ１１は、サンプリングサイクルＳＣ１内の第１のクロックサイクルであるクロックサイクルＣＣ１にて、アナログのルミナンス信号ＹＡからサンプルを取得する。サンプルホールド回路ＳＨ１２は、サンプリングサイクルＳＣ１内の第２のクロックサイクルであるクロックサイクルＣＣ２にて、第１のクロミナンス信号ＵＡからサンプルを取得する。サンプルホールド回路ＳＨ１３は、サンプリングサイクルＳＣ１内の第３のクロックサイクルであるクロックサイクルＣＣ３にて、第２のクロミナンス信号ＶＡからサンプルを取得する。サンプリングサイクルＳＣ１にはサンプリングサイクルＳＣ２が続き、３つのサンプルホールド回路ＳＨ１１、ＳＨ１２、ＳＨ１３は、アナログビデオ信号ＹＡ、ＵＡ、ＶＡを同じやり方でサンプリングする。各々の次のサンプリングサイクルについても同様である。
【００２６】
サンプルホールド回路ＳＨ１１は、２７ＭＨｚの有効サンプリング周波数を有し、この周波数は８１ＭＨｚを３で割ったものに等しい。これは、サンプルホールド回路ＳＨ１１は、マスタークロック信号ＭＣＫ１の３つの連続するクロックサイクルごとにアナログルミナンス信号ＹＡのサンプルを取得するためである。同じことが、サンプルホールド回路ＳＨ１２およびＳＨ１３にも言える。３つのサンプルホールド回路ＳＨ１１、ＳＨ１２、ＳＨ１３は同じ有効サンプリング周波数を有し、それは２７ＭＨｚであるが、サンプリングフェーズが異なる。図３は、このことを示している。
【００２７】
図２は、サンプルホールド回路ＳＨ１１が受信するアナログのルミナンス信号ＹＡが、システムクロック信号ＣＫＳのクロストークによる寄生成分を含み得ることを示している。サンプルホールド回路ＳＨ１１は、この寄生成分をサンプリングすることになる。したがって、サンプルホールド回路ＳＨ１１は、折り返し成分を含むアナログのルミナンスサンプルのストリームＹＳ１を生成する。折り返し成分は２．４ＭＨｚの周波数を有し、これは、２４．６ＭＨｚであるシステムクロック信号ＣＫＳの周波数と、３つのサンプルホールド回路ＳＨ１１、ＳＨ１２、ＳＨ１３の各々に対する２７ＭＨｚの有効サンプリング周波数との差である。
【００２８】
アナログの第１のクロミナンス信号ＵＡもまた、システムクロック信号ＣＫＳのクロストークによる寄生成分を含む。同じことが、アナログの第２のクロミナンス信号ＶＡにも言える。それぞれの寄生成分は一般的に似たものになり、特に、３つのサンプルホールド回路ＳＨ１１、ＳＨ１２、ＳＨ１３が、アナログビデオ信号ＹＡ、ＵＡ、ＶＡを、互いに物理的に近接した類似の信号路を経てそれぞれ受信する場合には似たものになる。サンプルホールド回路ＳＨ１２およびＳＨ１３は、各々が２．４ＭＨｚの周波数の折り返し成分を含む、アナログの第１クロミナンスサンプルのストリームＵＳ１およびアナログの第２クロミナンスサンプルのストリームＶＳ１を、それぞれ生成する。
【００２９】
マルチプレクサＭＵＸ１１は、アナログのルミナンスサンプルのストリームＹＳ１、アナログの第１クロミナンスサンプルのストリームＵＳ１、およびアナログの第２クロミナンスサンプルのストリームＶＳ１を多重化する。このために、マルチプレクサＭＵＸ１１は、上述したストリームから、図３に示したのと同様な方法で、周期的に１つずつそれぞれのサンプルを取得する。すなわち、マルチプレクサＭＵＸ１１は、上述したサンプリングサイクルと同様のスイッチングサイクルを有する。スイッチングサイクルは、マスタークロック信号ＭＣＫ１の３つの連続するクロックサイクルを含む。スイッチングサイクルの第１のクロックサイクルでは、マルチプレクサＭＵＸ１１は、アナログのルミナンスサンプルを取得する。第２のクロックサイクルでは、マルチプレクサＭＵＸ１１は、アナログの第１クロミナンスサンプルを取得する。第３のクロックサイクルでは、マルチプレクサＭＵＸ１１は、アナログの第２クロミナンスサンプルを取得する。アナログデジタル変換器ＡＤＣ１は、多重化したアナログサンプルのストリームＭＳ１を受信する。
【００３０】
アナログデジタル変換器ＡＤＣ１は、多重化したアナログサンプルのストリームＭＳ１における各アナログサンプルに対する２進値を定める。２進値は、関連するアナログサンプルの大きさを反映する。したがって、アナログデジタル変換器ＡＤＣ１は、多重化したデジタルサンプルのストリームＭＤ１を、２進値のストリーム形式で供給する。多重化したデジタルサンプルのストリームＭＤ１は、デジタルのルミナンスサンプルと、デジタルの第１クロミナンスサンプルと、デジタルの第２クロミナンスサンプルとを含む。上述したデジタルサンプルは、図３に示したのと同様のやり方で多重化される。３つの連続するクロックサイクルの時間間隔には、１つのデジタルのルミナンスサンプルと、１つのデジタルの第１クロミナンスサンプルと、１つのデジタルの第２クロミナンスサンプルとが存在する。
【００３１】
デマルチプレクサＤＭＸ１は、多重化したデジタルサンプルのストリームＭＤ１を、デジタルのルミナンスサンプルのストリームＹＤ１、第１クロミナンスサンプルのストリームＵＤ１および第２クロミナンスサンプルのストリームＶＤ１に分離する。このために、デマルチプレクサＤＭＸ１は、マルチプレクサＭＵＸ１１と同様のスイッチングサイクルを有する。したがって、３つの連続するマスタークロックサイクルの時間間隔にて、デマルチプレクサＤＭＸ１は、多重化したデジタルサンプルのストリームＭＤ１から、デジタルのルミナンスサンプルと、デジタルの第１クロミナンスサンプルと、デジタルの第２クロミナンスサンプルとを取得する。デマルチプレクサＤＭＸ１は、これらそれぞれのサンプルを、デジタルのルミナンスサンプルのストリームＹＤ１と、デジタルの第１クロミナンスサンプルのストリームＵＤ１と、デジタルの第２クロミナンスサンプルのストリームＶＤ１とに割り当てる。
【００３２】
デジタルのルミナンスサンプルのストリームＹＤ１は、折り返し成分を含むことになる。この折り返し成分は、少なくとも部分的には、アナログのルミナンスサンプルのストリームＹＳ１における折り返し成分がデジタル化されたものである。同様に、デジタルの第１クロミナンスサンプルのストリームＵＤ１およびデジタルの第２クロミナンスサンプルのストリームＶＤ１は、各々折り返し成分を含むことになる。これらの折り返し成分の各々は、少なくとも部分的には、それぞれ、アナログの第１クロミナンスサンプルのストリームＵＳ１およびアナログの第２クロミナンスサンプルのストリームＶＳ１における折り返し成分がデジタル化されたものである。デジタルサンプルのそれぞれのストリームＹＤ１、ＵＤ１、ＶＤ１におけるそれぞれの折り返し成分は、２．４ＭＨｚの周波数を有する。
【００３３】
なお、デジタルサンプルのそれぞれのストリームＹＤ１、ＵＤ１、ＶＤ１におけるそれぞれの折り返し成分は、少なくとも部分的には、３つのサンプルホールド回路ＳＨ１１、ＳＨ１２、ＳＨ１３とアナログデジタル変換器ＡＤＣ１と間の信号路に対するシステムクロック信号ＣＫＳのクロストークにもよるものである。上述したように、アナログデジタル変換器ＡＤＣ１は、時間離散的に動作する。つまり、アナログデジタル変換器は、マスタークロック信号ＭＣＫ１のそれぞれのクロックサイクルにおけるそれぞれのアナログサンプルに対するそれぞれの２進値を定める。これは、サンプリング動作を成す。２４．６ＭＨｚの周波数を有するシステムクロック信号ＣＫＳのクロストークは、多重化したアナログサンプルのストリームＭＳ１に、寄生成分を付加し得る。アナログデジタル変換器ＡＤＣ１は、事実上、この寄生成分をサンプリングすることになる。その結果、上述したクロストークは、少なくとも部分的に、デジタルサンプルのそれぞれのストリームＹＤ１、ＵＤ１、ＶＤ１にそれぞれの折り返し成分を生じさせることになる。
【００３４】
ローパスフィルタＬＰＦ１１は、デジタルの第１クロミナンスサンプルのストリームＵＤ１をフィルタ処理する。ローパスフィルタＬＰＦ１１は、約１．５ＭＨｚのカットオフ周波数を有する。したがって、ローパスフィルタＬＰＦ１１は、デジタルの第１クロミナンスサンプルのストリームＵＤ１に存在する折り返し成分を抑圧する。ローパスフィルタＬＰＦ１１は、折り返し成分を実質上含まない、デジタルの第１クロミナンスサンプルをフィルタ処理したストリームＵＦを供給する。ローパスフィルタＬＰＦ１２は、デジタルの第２クロミナンスサンプルのストリームＶＤ１をフィルタ処理する。ローパスフィルタＬＰＦ１２も同様に、約１．５ＭＨｚのカットオフ周波数を有する。その結果、ローパスフィルタＬＰＦ１２は、折り返し成分を実質上含まない、デジタルの第２クロミナンスサンプルをフィルタ処理したストリームＶＦを供給する。
【００３５】
減算器ＳＵＢ１１は、デジタルの第１クロミナンスサンプルをフィルタ処理したストリームＵＦを、デジタルの第１クロミナンスサンプルのストリームＵＤ１から減算する。したがって、デジタルの第１クロミナンスサンプルを逆フィルタ処理したストリームＵＩＦが得られる。デジタルの第１クロミナンスサンプルを逆フィルタ処理したストリームＵＩＦは、デジタルの第１クロミナンスサンプルのストリームＵＤ１が、１．５ＭＨｚのカットオフ周波数を有するハイパスフィルタに供給される場合に得られるものと一致する。デジタルの第１クロミナンスサンプルを逆フィルタ処理したストリームＵＩＦは、デジタルの第１クロミナンスサンプルのストリームＵＤ１に存在する折り返し成分を含む。減算器ＳＵＢ１２は、デジタルの第２クロミナンスサンプルをフィルタ処理したストリームＶＦを、デジタルの第２クロミナンスサンプルのストリームＶＤ１から減算することによって、デジタルの第２クロミナンスサンプルを逆フィルタ処理したストリームＶＩＦを供給する。デジタルの第２クロミナンスサンプルを逆フィルタ処理したストリームＶＩＦは、デジタルの第２クロミナンスサンプルのストリームＶＤ１に存在する折り返し成分を含む。
【００３６】
マルチプレクサＭＵＸ１２は、デジタルのルミナンスサンプルのストリームＹＤ１と、デジタルの第１クロミナンスサンプルを逆フィルタ処理したストリームＵＩＦと、デジタルの第２クロミナンスサンプルを逆フィルタ処理したストリームＶＩＦとを多重化する。マルチプレクサＭＵＸ１２は、マルチプレクサＭＵＸ１１と同様のスイッチングサイクルを有する。マスタークロック信号ＭＣＫ１の３つの連続するクロックサイクルの時間間隔にて、マルチプレクサＭＵＸ１２は、デジタルのルミナンスサンプルのストリームＹＤ１から１つのサンプルと、デジタルの第１クロミナンスサンプルを逆フィルタ処理したストリームＵＩＦから１つのサンプルと、第２のクロミナンスサンプルを逆フィルタ処理したストリームＶＩＦから１つのサンプルとを取得する。マルチプレクサＭＵＸ１２は、デジタルのルミナンスサンプルを補完したストリームＹＣを構成する、デジタルサンプルの上述したストリームの多重化を行う。
【００３７】
ローパスフィルタＬＰＦ１１、ＬＰＦ１２、２つの減算器ＳＵＢ１１、ＳＵＢ１２、およびマルチプレクサＭＵＸ１２は、デジタルのルミナンスサンプルのストリームＹＤ１に存在する折り返し成分に対する補償を行う。これは、以下の例によって理解できる。
【００３８】
３つのサンプルホールド回路ＳＨ１１、ＳＨ１２、ＳＨ１３は、アナログビデオ信号ＹＡ、ＵＡ、ＶＡを受信しないものと仮定する。それでも、３つのサンプルホールド回路ＳＨ１１、ＳＨ１２、ＳＨ１３は、上述したように、システムクロック信号ＣＫＳのクロストークによる寄生信号を各々が受信することになる。さらに、それぞれの寄生信号が同一であると仮定するが、この仮定は実際の多くの実施形態において正しいものである。３つのサンプルホールド回路ＳＨ１１、ＳＨ１２、ＳＨ１３は、同じ寄生信号を受信する。
【００３９】
この場合、マルチプレクサＭＵＸ１２が供給するデジタルのルミナンスサンプルを補完したストリームＹＣは、８１ＭＨｚのサンプリング周波数を有するアナログデジタル変換器が同じ寄生信号に応答して供給することになる、デジタルサンプルのストリームと一致する。実質上、寄生信号に関する限り、３つのサンプルホールド回路ＳＨ１１、ＳＨ１２、ＳＨ１３は、８１ＭＨｚのサンプリング周波数を有する単一のサンプルホールド回路と機能的に同等である。
【００４０】
したがって、３つのサンプルホールド回路ＳＨ１１、ＳＨ１２、ＳＨ１３が実際に厳密に同じ寄生信号を受信する場合（これは理想的な場合である）、デジタルのルミナンスサンプルを補完したストリームＹＣは、２．４ＭＨｚの折り返し成分を全く含まなくなる。実際には、アナログビデオ信号ＹＡ、ＵＡ、ＶＡにおけるそれぞれの寄生信号の間には、幾分の差異が存在し得る。その場合、デジタルのルミナンスサンプルを補完したストリームＹＣには、２．４ＭＨｚの折り返し成分が存在することになる。しかしながら、この２．４ＭＨｚの折り返し成分の大きさは、デジタルサンプルのそれぞれのストリームＹＤ１、ＵＤ１、ＶＤ１におけるそれぞれ２．４ＭＨｚの折り返し成分に比べて比較的小さくなる。
【００４１】
マルチプレクサＭＵＸ１１とアナログデジタル変換器ＡＤＣ１との間の信号路に対してだけ、システムクロック信号ＣＫＳのクロストークが存在する場合を仮定する。上述したように、このようなクロストークによっても、デジタルサンプルのそれぞれのストリームＹＤ１、ＵＤ１、ＶＤ１の各々に２．４ＭＨｚの折り返し成分が生じることになる。これらそれぞれの２．４ＭＨｚの折り返し成分は、多重化したアナログサンプルのストリームＭＳ１上の同じ２４．６ＭＨｚの寄生信号から派生する。したがって、デジタルのルミナンスサンプルを補完したストリームＹＣは、８１ＭＨｚのサンプリング周波数を有するアナログデジタル変換器がこの２４．６ＭＨｚの寄生信号に応答して供給するデジタルサンプルのストリームと一致する。したがって、デジタルのルミナンスサンプルを補完したストリームＹＣは、２．４ＭＨｚの折り返し成分を少しも含まなくなる。
【００４２】
デジタルのルミナンスサンプルを補完したストリームＹＣは、２４．６ＭＨｚの周波数を有する寄生成分を含むようになる。この２４．６ＭＨｚの寄生成分は、システムクロック信号ＣＫＳのクロストークによる種々の寄生信号のデジタル表現である。２４．６ＭＨｚの寄生成分は、０〜５ＭＨｚの範囲にわたるアナログルミナンス信号の帯域幅の充分外側にある。なお、デジタルのルミナンスサンプルを補完したストリームＹＣは、８１ＭＨｚのサンプル周波数と２４．６ＭＨｚのシステムクロック信号ＣＫＳの周波数との差である、５６．４ＭＨｚの周波数を有する折り返し成分をさらに含むことに留意すべきである。
【００４３】
ローパスフィルタＬＰＦ１３は、デジタルのルミナンスサンプルを補完したストリームＹＣをフィルタ処理する。ローパスフィルタＬＰＦ１３は、５ＭＨｚのカットオフ周波数を有する。したがって、ローパスフィルタＬＰＦ１３は、デジタルのルミナンスサンプルを補完したストリームＹＣに存在する、２４．６ＭＨｚの寄生成分および５６．４ＭＨｚの折り返し成分を抑圧する。したがって、ローパスフィルタＬＰＦ１３は、システムクロック信号ＣＫＳのクロストークによる寄生または折り返し成分を実質上少しも含まない、デジタルのルミナンスサンプルをフィルタ処理したストリームＹＦを供給する。
【００４４】
デジタルシグナルプロセッサＤＳＰは、デジタルのルミナンスサンプルをフィルタ処理したストリームＹＦと、デジタルの第１クロミナンスサンプルをフィルタ処理したストリームＵＦと、デジタルの第２クロミナンスサンプルをフィルタ処理したストリームＶＦとを処理する。この処理により、例えばダブルウインドウ、ピクチャインピクチャおよびパノラマビューなど、種々のビデオ機能を実現できるだけでなく、例えばシャープネスやブライトネスなど、種々の表示特性を良くすることもできる。デジタルシグナルプロセッサＤＳＰは、図１にも示してあるように、処理したビデオ信号ＹＰ、ＵＰ、ＶＰを供給する。
【００４５】
デジタルシグナルプロセッサＤＳＰは、サンプルレート低減のために１つ以上のデシメータを具えるようにできる。例えば、デジタルのルミナンスサンプルをフィルタ処理したストリームＹＦは、１秒あたり８１メガサンプルのサンプルレートを有する。このストリームは、５ＭＨｚの信号帯域幅を有する。ローパスフィルタＬＰＦ１３は、信号帯域幅の外側にあるスペクトル成分を抑圧する。したがって、サンプルレートは、これによって折り返しの効果による信号歪みを生じることなく、低減させることができる。デジタルの第１クロミナンスサンプルをフィルタ処理したストリームＵＦおよびデジタルの第２クロミナンスサンプルをフィルタ処理したストリームＶＦもまた、同様の理由でサンプルレートを低減させることができる。
【００４６】
図４は、ビデオプロセッサの第２の実施例を示し、以下、この例を第２のビデオプロセッサの実施例と称する。第２のビデオプロセッサの実施例は、３つのサンプルホールド回路ＳＨ２１、ＳＨ２２、ＳＨ２３を含み、それぞれが各アナログビデオ信号ＹＡ、ＵＡ、ＶＡに対応する。第２のビデオプロセッサの実施例はさらに、マルチプレクサＭＵＸ２と、アナログデジタル変換器ＡＤＣ２と、デマルチプレクサＤＭＸ２と、デジタルシグナルプロセッサＤＳＰ２と、クロックジェネレータＣＫＧ２とを有する。第２のビデオプロセッサの実施例はさらに、バンドパスフィルタＢＰＦと、サンプル補正器ＳＣＲと、減算器ＳＵＢ２とを有する。第２のビデオプロセッサの実施例はさらに、いずれものフィルタ遅延を補償する、図示しない遅延回路を含むようにもできる。
【００４７】
第２のビデオプロセッサの実施例は、以下のように動作する。３つのサンプルホールド回路ＳＨ２１、ＳＨ２２、ＳＨ２３およびマルチプレクサＭＵＸ２は、サンプルホールド回路ＳＨ１１、ＳＨ１２、ＳＨ１３およびマルチプレクサＭＵＸ１についてそれぞれ上述した方法で動作する。したがって、サンプルホールド回路ＳＨ２１は、２．４ＭＨｚの周波数を有する折り返し成分を含むアナログのルミナンスサンプルのストリームＹＳ２を生成する。サンプルホールド回路ＳＨ２２およびＳＨ２３は、各々が同様の折り返し成分を含む、アナログの第１クロミナンスサンプルのストリームＵＳ２およびアナログの第２クロミナンスサンプルのストリームＶＳ２をそれぞれ生成する。それぞれの折り返し成分は、図３に示したそれぞれのサンプリング動作から理解できるように、互いに位相がシフトされる。
【００４８】
マルチプレクサＭＵＸ２は、３つのサンプルホールド回路ＳＨ２１、ＳＨ２２、ＳＨ２３が供給するアナログサンプルのそれぞれのストリームＹＳ２、ＵＳ２、ＶＳ２を多重化したものである、多重化されたアナログサンプルのストリームＭＳ２を供給する。３つのサンプルホールド回路ＳＨ２１、ＳＨ２２、ＳＨ２３は、アナログビデオ信号ＹＡ、ＵＡ、ＶＡを受信しないものと仮定する。それでも、３つのサンプルホールド回路ＳＨ２１、ＳＨ２２、ＳＨ２３は、システムクロック信号ＣＫＳのクロストークによる寄生信号を各々が受信することになる。さらに、それぞれの寄生信号が同一であると仮定する。３つのサンプルホールド回路ＳＨ２１、ＳＨ２２、ＳＨ２３は、同じ寄生信号を受信する。
【００４９】
この場合、マルチプレクサＭＵＸ２が供給する多重化されたアナログサンプルのストリームＭＳ２は、８１ＭＨｚのサンプリング周波数を有するサンプルホールド回路が同じ寄生信号に応答して供給するアナログサンプルのストリームと一致する。実質上、寄生信号に関する限り、３つのサンプルホールド回路ＳＨ２１、ＳＨ２２、ＳＨ３３は、８１ＭＨｚのサンプリング周波数を有する単一のサンプルホールド回路と機能的に同等である。
【００５０】
３つのサンプルホールド回路ＳＨ２１、ＳＨ２２、ＳＨ２３が実際に厳密に同じ寄生信号を受信する場合（これは理想的な場合である）、多重化されたアナログサンプルのストリームＭＳ２は、２．４ＭＨｚの折り返し成分を全く含まなくなる。実際には、アナログビデオ信号ＹＡ、ＵＡ、ＶＡにおけるそれぞれの寄生信号の間には、幾分の差異が存在し得る。その場合、多重化されたアナログサンプルのストリームＭＳ２には、２．４ＭＨｚの折り返し成分が存在することになる。しかしながら、この２．４ＭＨｚの折り返し成分の大きさは、アナログサンプルのそれぞれのストリームＹＳ２、ＵＳ２、ＶＳ２におけるそれぞれ２．４ＭＨｚの折り返し成分に比べて比較的小さくなる。
【００５１】
多重化されたアナログサンプルのストリームＭＳ２は、２４．６ＭＨｚの周波数を有する寄生成分を含むようになる。この２４．６ＭＨｚの寄生成分は、少なくとも部分的には、システムクロック信号ＣＫＳのクロストークによる、アナログビデオ信号ＹＡ、ＵＡ、ＶＡにおけるそれぞれの寄生信号のデジタル表現である。２４．６ＭＨｚの付近には、他のスペクトル成分が存在し得る。帯域幅の範囲が５ＭＨｚまでにわたるアナログルミナンス信号ＹＡは、２．４ＭＨｚの付近のスペクトル成分を含み得る。サンプルホールド回路ＳＨ２１は、言わば、これらの２．４ＭＨｚのスペクトル成分を折り返すため、これらは多重化されたアナログサンプルのストリームＭＳ２における２４．６ＭＨｚのスペクトル成分になる。
【００５２】
バンドパスフィルタＢＰＦは、多重化されたアナログサンプルのストリームＭＳ２をフィルタ処理し、多重化されたアナログサンプルをバンドパスフィルタ処理したストリームを、サンプル補正器ＳＣＲに供給する。バンドパスフィルタＢＰＦは、２４．６ＭＨｚを中心とする比較的狭いパスバンドを有するのが好適である。このような狭いパスバンドは、アナログルミナンス信号ＹＡから派生するスペクトル成分が、バンドパスフィルタＢＰＦを通過してサンプル補正器ＳＣＲに到達するのをある程度阻止する。サンプル補正器ＳＣＲは、多重化されたアナログサンプルをバンドパスフィルタ処理したストリームを処理して、サンプルの干渉補償ストリームＩＣＳを供給する。理想的には、サンプルの干渉補償ストリームＩＣＳは、システムクロック信号ＣＫＳのクロストークによる、寄生の２４．６ＭＨｚの成分のみを含むようにする。すなわち、サンプルの干渉補償ストリームＩＣＳは、理想的には、アナログのルミナンス信号ＹＡから派生する２４．６ＭＨｚのスペクトル成分は全く含まないようにする。
【００５３】
減算器ＳＵＢ２は、サンプルの干渉補償ストリームＩＣＳを、多重化されたアナログサンプルのストリームＭＳ２から減算する。これは、多重化されたアナログサンプルのストリームＭＳ２に存在する、寄生の２４．６ＭＨｚの成分を補償する。したがって、減算器ＳＵＢ２は、多重化されたアナログサンプルのストリームＭＳ２における寄生成分と比べて大きさが比較的小さい寄生の２４．６ＭＨｚの成分を含む、多重化されたアナログサンプルを干渉補償したストリームＭＳＣを供給する。理想的には、多重化されたアナログサンプルを干渉補償したストリームＭＳＣが、寄生の２４．６ＭＨｚの成分を少しも含まないようにする。
【００５４】
アナログデジタル変換器ＡＤＣ２は、多重化されたアナログサンプルを干渉補償したストリームＭＳＣに応答して、多重化されたデジタルサンプルのストリームＭＤ２を供給する。デマルチプレクサＤＭＸ２は、多重化されたデジタルサンプルのストリームＭＤ２を、デジタルのルミナンスサンプルのストリームＹＤ２と、デジタルの第１クロミナンスサンプルのストリームＵＤ２と、デジタルの第２クロミナンスサンプルのストリームＶＤ２とに分離する。アナログデジタル変換器ＡＤＣ２およびデマルチプレクサＤＭＸ２は、第１のビデオプロセッサの実施例にて、アナログデジタル変換器ＡＤＣ１およびデマルチプレクサＤＭＸ１についてそれぞれ上述した方法で動作する。
【００５５】
デマルチプレクサＤＭＸ２は、デシメーションファクタが３のデシメータを構成するものと見なすことができる。デマルチプレクサＤＭＸ２は、このようなデシメータに似た折り返しを導入する。多重化されたアナログサンプルを干渉補償したストリームＭＳＣにおける寄生の２４．６ＭＨｚの成分は折り返して、デジタルのルミナンスサンプルのストリームＹＤ２における寄生の２．４ＭＨｚの成分になる。このような折り返しはまた、デジタルの第１クロミナンスサンプルのストリームＵＤ２およびデジタルの第２クロミナンスサンプルのストリームＶＤ２に、寄生の２．４ＭＨｚの成分を生成することになる。上述したように、バンドパスフィルタＢＰＦ、サンプル補正器ＳＣＲ、および減算器ＳＵＢ２は、多重化されたアナログサンプルのストリームＭＳ２における寄生の２４．６ＭＨｚの成分を補償する。この補償は、多重化されたアナログサンプルを干渉補償したストリームＭＳＣにおける２４．６ＭＨｚの成分が比較的弱くなるか、または完全になくなる（これは理想的な場合である）ようにする。
【００５６】
上述したように、サンプルの干渉を補償するストリームＩＣＳは、理想的には、アナログのルミナンス信号ＹＡから派生する２４．６ＭＨｚのスペクトル成分を少しも含まないようにする。これは、以下のように理解することができる。
【００５７】
バンドパスフィルタＢＰＦ、サンプル補正器ＳＣＲ、および減算器ＳＵＢ２を、多重化されたアナログサンプルのストリームＭＳ２をアナログデジタル変換器ＡＤＣ２へ直接転送する短絡回路と交換した場合を仮定する。すなわち、マルチプレクサＭＵＸ２とアナログデジタル変換器ＡＤＣ２との間でフィルタリングを行わない場合である。上述したように、アナログのルミナンス信号における２．４ＭＨｚの成分は、多重化されたアナログサンプルのストリームに２４．６ＭＨｚの成分を生成することになる。デマルチプレクサＤＭＸ２は、実のところ、この２４．６ＭＨｚの成分を折り返し、デジタルのルミナンスサンプルのストリームＹＤ２に再び２．４ＭＨｚの成分を生じさせる。多重化および逆多重化は、いかなる周波数歪みも導入しない。これらの動作は言わば明白であり、それはあたかも、アナログサンプルの各ストリームＹＳ２、ＵＳ２、ＶＳ２のそれぞれが、自前のアナログデジタル変換器ＡＤＣ２を有するようなものである。
【００５８】
サンプル補正器ＳＣＲを短絡回路と交換した場合を想定する。この場合、バンドパスフィルタＢＰＦおよび減算器ＳＵＢ２は、２４．６ＭＨｚを中心とする周波数帯のいかなるスペクトル成分も抑圧するいわゆるノッチフィルタを構成する。したがって、アナログのルミナンス信号から派生する２４．６ＭＨｚの成分は抑圧されることになる。この２４．６ＭＨｚの成分はデマルチプレクサＤＭＸ２に到達しなくなり、したがって、上述した場合のように他の方法では存在した、デジタルのルミナンスサンプルのストリームＹＤ２に２．４ＭＨｚの成分を生成することができない。したがって、アナログのルミナンス信号から派生する２４．６ＭＨｚの成分を抑圧することは、周波数歪みを引き起こすことになる。
【００５９】
サンプル補正器ＳＣＲは、上述した周波数歪みをある程度阻止することができる。サンプル補正器ＳＣＲは、寄生の２４．６ＭＨｚの成分と、アナログのルミナンス信号から生じる２４．６ＭＨｚの成分とを、良好に区別することができる。このために、サンプル補正器ＳＣＲは、多重化されたアナログサンプルのストリームＭＳ２に存在する、第１のクロミナンスサンプルおよび第２のクロミナンスサンプルを使用する。第１のクロミナンスサンプルおよび第２のクロミナンスサンプルは、寄生の２４．６ＭＨｚの成分を含むが、アナログのルミナンス信号ＹＡから派生する成分は少しも含まない。サンプル補正器ＳＣＲは、第１のクロミナンスサンプルおよび第２のクロミナンスサンプルに基づいて、寄生の２４．６ＭＨｚの成分を推定する。この推定によって、サンプル補正器ＳＣＲは、寄生の２４．６ＭＨｚの成分と、アナログのルミナンス信号ＹＡから派生する２４．６ＭＨｚの成分とを区別することができる。したがって、サンプル補正器ＳＣＲは、後者の２４．６ＭＨｚの成分が、サンプルの干渉を補償するストリームＩＣＳに存在しないようにすることができる。
【００６０】
［結び］
図面につき上述した詳細な説明は以下の特徴を例証し、これらは種々の独立請求項にて引用される。シグナルプロセッサ（ＶＤＤ）において、サンプリング装置（図２のＳＨ１１、ＳＨ１２、ＳＨ１３、ＡＤＣ１；図４のＳＨ２１、ＳＨ２２、ＳＨ２３）は、少なくとも第１の信号（ＹＡ）および第２の信号（ＵＡ、ＶＡ）をサンプリングして、サンプリングされた第１の信号（図２のＹＤ１；図４のＹＳ２）およびサンプリングされた第２の信号（図２のＵＤ１、ＶＤ１；図４のＵＳ２、ＶＳ２）をそれぞれ取得する。折り返し補償器（図２のＬＰＦ１１、ＬＰＦ１２、ＬＰＦ１３、ＳＵＢ１１、ＳＵＢ１２、ＭＵＸ１２；図４のＢＰＦ、ＳＣＲ、ＳＵＢ２）は、第２の信号（ＵＡ、ＶＡ）から派生する成分を実質上含まないサンプリングされた第２の信号（ＵＤ１、ＶＤ１；ＵＳ２、ＶＳ２）のスペクトル成分に基づいて、サンプリングされた第１の信号（ＹＤ１；ＹＳ２）における折り返し成分を補償する。
【００６１】
上述した詳細な説明はさらに、種々の随意の特徴を例証し、これらは従属請求項にて引用され、また、以下の段落にて明らかにする。これらの特徴は、上述した特徴と有利に組み合わせて適用することができる。
【００６２】
サンプリング装置（図２のＳＨ１１、ＳＨ１２、ＳＨ１３、ＡＤＣ１）は、アナログデジタル変換器（ＡＤＣ１）を備えている。折り返し補償器（ＬＰＦ１１、ＬＰＦ１２、ＬＰＦ１３、ＳＵＢ１１、ＳＵＢ１２、ＭＵＸ１２）は、アナログデジタル変換器（ＡＤＣ１）から、デジタルサンプルのそれぞれのストリームの形式で、サンプリングされた第１の信号（ＹＤ１）およびサンプリングされた第２の信号（ＵＤ１、ＶＤ１）を受信する。これにより、サンプリング動作と大きさの量子化動作との間に導入される寄生信号により生じる折り返し成分を折り返し補償器が補償するので、良好な信号処理ができる。図２につき詳細に説明したように、３つのサンプルホールド回路ＳＨ１１、ＳＨ１２、ＳＨ１３とアナログデジタル変換器ＡＤＣ１との間の信号路に対する、システムクロック信号ＣＫＳのクロストークが補償される。サンプリング装置（ＳＨ１１、ＳＨ１２、ＳＨ１３、ＡＤＣ１）は、第１の信号（ＹＡ）に応答してアナログサンプルの第１のストリーム（ＹＳ１）と、第２の信号（ＵＡ、ＶＡ）に応答してアナログサンプルの第２のストリーム（ＵＳ１、ＶＳ１）とを供給する、複数のサンプルホールド回路（ＳＨ１１、ＳＨ１２、ＳＨ１３）を含む。マルチプレクサ（ＭＵＸ１１）は、アナログサンプルの第１のストリーム（ＹＳ１）からと、アナログサンプルの第２のストリーム（ＵＳ１、ＶＳ１）からとのアナログサンプルを含む、多重化されたアナログサンプルのストリーム（ＭＳ１）を形成して、アナログの多重化されたサンプルのストリーム（ＭＳ１）をアナログデジタル変換器（ＡＤＣ１）に供給する。デマルチプレクサ（ＤＭＸ１）は、アナログの多重化されたサンプルのストリーム（ＭＳ１）に応答してアナログデジタル変換器（ＡＤＣ１）が供給する多重化されたデジタルサンプルのストリーム（ＭＤ１）から、サンプリングされた第１の信号（ＹＤ１）およびサンプリングされた第２の信号（ＵＤ１、ＶＤ１）を抽出する。これにより、マルチプレクサとアナログデジタル変換器との間に導入される寄生信号により生じる折り返し成分を折り返し補償器が完全に補償できるので、さらに良好な信号処理ができる。折り返し補償器（ＬＰＦ１１、ＬＰＦ１２、ＬＰＦ１３、ＳＵＢ１１、ＳＵＢ１２、ＭＵＸ１２）は、折り返し補償サンプル（ＵＩＦ、ＶＩＦ）を得るために、サンプリングされた第２の信号（ＵＤ１、ＶＤ１）をフィルタ処理するためのフィルタ装置（ＬＰＦ１１、ＳＵＢ１１、ＬＰＦ１２、ＳＵＢ１２）を含む。フィルタ装置（ＬＰＦ１１、ＳＵＢ１１、ＬＰＦ１２、ＳＵＢ１２）は、第２の信号（ＵＡ、ＶＡ）から派生する成分を実質上含まないサンプリングされた第２の信号（ＵＤ１、ＶＤ１）のスペクトル部分におけるパスバンドを有する。合成器（ＭＵＸ１２）は、サンプリングされた第１の信号（ＹＤ１）を、折り返し補償サンプル（ＵＩＦ、ＶＩＦ）と合成する。これにより、コスト効率の優れた実装が可能になる。
【００６３】
上述したフィルタ装置（ＬＰＦ１１、ＳＵＢ１１、ＬＰＦ１２、ＳＵＢ１２）において、フィルタ（ＬＰＦ１１、ＬＰＦ１２）は、サンプリングされた第２の信号（ＵＤ１、ＶＤ１）をフィルタ処理して、フィルタ処理およびサンプリングされた第２の信号（ＵＦ、ＶＦ）を取得する。フィルタ（ＬＰＦ１１、ＬＰＦ１２）は、第２の信号（ＵＡ、ＶＡ）から派生する成分を実質上含むサンプリングされた第２の信号（ＵＤ１、ＶＤ１）のスペクトル部分におけるパスバンドを有する。減算器（ＳＵＢ１１、ＳＵＢ１２）は、フィルタ処理およびサンプリングされた第２の信号（ＵＦ、ＶＦ）を、サンプリングされた第２の信号（ＵＤ１、ＶＤ１）から減算して、折り返し補償サンプル（ＵＩＦ、ＶＩＦ）を得る。これにより、フィルタが２つの機能、すなわちサンプリングされた第２の信号の折り返し成分を抑圧する機能と、サンプリングされた第２の信号から折り返し成分を補償目的のために抽出する機能とを果たすため、さらにコスト効率の優れた実装が可能になる。
【００６４】
クロックジェネレータ（ＣＫＧ１；ＣＫＧ２）は、共通のクロック信号（ＭＣＫ１；ＭＣＫ２）の異なるクロックサイクルにて、サンプリング装置（ＳＨ１１、ＳＨ１２、ＳＨ１３、ＡＤＣ１；ＳＨ２１、ＳＨ２２、ＳＨ２３）に、第１の信号（ＹＡ）および第２の信号（ＵＡ、ＶＡ）を交互にサンプリングさせる。これは、コスト効率の優れた実装を可能にする。
【００６５】
マルチプレクサ（ＭＵＸ２）は、サンプリングされた第１の信号（ＹＳ２）とサンプリングされた第２の信号（ＵＳ２、ＶＳ２）とを合成して、多重化された信号（ＭＳ２）を取得する。折り返し補償器（ＢＰＦ、ＳＣＲ、ＳＵＢ２）は、折り返し補償サンプル（ＩＣＳ）を得るために、多重化された信号（ＭＳ２）をフィルタ処理するフィルタ装置（ＢＰＦ、ＳＣＲ）を含む。フィルタ装置（ＢＰＦ、ＳＣＲ）は、第２の信号（ＵＡ、ＶＡ）から派生する成分を実質上含まないサンプリングされた第２の信号（ＵＳ２、ＶＳ２）のスペクトル部分内のパスバンドを有する。合成器（ＳＵＢ２）は、サンプリングされた第１の信号（ＹＳ２）を、折り返し補償サンプル（ＩＣＳ）と合成する。これは別の実装例であり、図４は、このような別の例である。
【００６６】
フィルタ装置（ＢＰＦ、ＳＣＲ）は、折り返し補償サンプル（ＩＣＳ）が、サンプリングされた第１の信号（ＹＳ２）から派生する成分を含まないようにするサンプル補正器（ＳＣＲ）を含む。これは良好な信号処理品質に寄与する。
【００６７】
第１の信号（ＹＡ）に折り返し成分を発生させ易い周波数（２４．６ＭＨｚ）を供給する周波数発生器（ＸＣＯ）が存在する。フィルタ装置（ＢＰＦ、ＳＣＲ）は、周波数発生器（ＸＣＯ）が供給する周波数（２４．６ＭＨｚ）と一致する中心周波数を有するバンドパス特性を有するフィルタ（ＢＰＦ）を含む。これは、周波数発生器が信号処理の品質に悪影響を与ないようにする。
【００６８】
上述した各特徴は、幾多の異なる方法で実現することができる。これを説明するために、いくつかの変形例を簡単に示す。
【００６９】
上述した各特徴は、任意の形式の信号処理に有利に適用できる。ビデオ信号処理は、単なる一例に過ぎない。上述した各特徴は、例えばＧＳＭの略称で知られる携帯電話システムのような、携帯電話システムの信号処理にも同様に適用することができる。
【００７０】
本発明による折り返し補償は、任意の数のサンプル化信号によって実行することができる。詳細な説明は、３つのサンプル化信号が存在する例に過ぎない。本発明による折り返し補償は、例えば、２つもしくは４つのサンプル化信号、または任意の数のサンプル化信号によっても同様に実行することができる。さらに、１つのサンプル化信号における折り返し成分に対する補償は、必ずしも他の全てのサンプル化信号に基づく必要はない。これは、詳細な説明でしたように、信号を異なる位相でサンプリングする場合も同じようにいえることである。以下の例により、このことを説明する。４つの異なる信号を、０度、９０度、１８０度および２７０度のそれぞれのサンプリングフェーズでサンプリングするものと仮定する。１８０度のサンプリングフェーズを有するサンプル化信号の組合せは、有効サンプリング周波数の２倍に相当する。これは、これらの信号のうち１つにおける折り返し成分を補償するには充分である。
【００７１】
本発明による折り返し補償は、信号処理の流れの中で、幾多の異なるポイントで行うことができる。以下の例により、このことを説明する。図２に示した第１のビデオプロセッサの実施例では、折り返し補償は、デマルチプレクサＤＭＸ１とデジタルシグナルプロセッサＤＳＰ１との間のデジタルサンプルドメインで行われる。この折り返し補償は、例えば、３つのサンプルホールド回路ＳＨ１１、ＳＨ１２、ＳＨ１３とマルチプレクサＭＵＸ１１との間のアナログサンプルドメインにおける同等な折り返し補償と置き換えることができる。図４に示した第２のビデオプロセッサの実施例では、折り返し補償は、マルチプレクサＭＵＸ２とアナログデジタル変換器ＡＤＣ２との間のアナログサンプルドメインで行われる。この折り返し補償は、例えば、アナログデジタル変換器ＡＤＣ２とデマルチプレクサＤＭＸ２との間のデジタルサンプルドメインにおける同等な折り返し補償と置き換えることができる。前述したように、折り返し補償はデジタルサンプルドメインにて行うのが有利である。
【００７２】
本発明による折り返し補償は、必ずしも時間多重化アナログデジタル変換を要するわけではない。例えば、図２に示した第１のビデオプロセッサの実施例の場合に、マルチプレクサＭＵＸ１１、アナログデジタル変換器ＡＤＣ１、およびデマルチプレクサＤＭＸ１は、アナログサンプルの３つのそれぞれのストリームに対して各１つの、３つの別個のアナログデジタル変換器と置き換えることができる。
【００７３】
本発明による折り返し補償は、必ずしも複数の信号を周期的に１つずつサンプリングするサンプリング装置を要するわけではない。例えば、図２に示した第１のビデオプロセッサの実施例は、以下のように変形することができる。クロックジェネレータＣＫＧ１によって、３つのサンプルホールド回路ＳＨ１１、ＳＨ１２、ＳＨ１３に、アナログの入力信号ＹＡ、ＵＡ、ＶＡを同じ瞬時にサンプリングさせることができる。マルチプレクサＭＵＸ１２は、同じ瞬時に取得されたアナログ入力信号ＹＡ、ＵＡ、ＶＡのそれぞれのサンプルに関連するそれぞれのデジタルサンプルを線形合成させる回路と交換することができる。ローパスフィルタＬＰＦ１１、ＬＰＦ１２におけるそれぞれの遅延を考慮する適切な遅延補償を行うことができる。さらに、図３に示した周期パターン以外の周期パターンを用いることもできる。さらにまた、１つのサンプリングサイクルにおいて、特定の１つの信号のサンプルをいくつか取得する一方、他の信号からサンプルを１つだけ取得することもできる。例えば、図３に示すように、１つのサンプリングサイクルにおいて、アナログのルミナンス信号ＹＡのサンプルを２つ取得する一方、第１のクロミナンス信号ＵＡおよび第２のクロミナンス信号ＶＡからは１つのサンプルのみを取得することもできる。
【００７４】
ハードウェアもしくはソフトウェア、またはその両方によって上述したそれぞれの機能を実現する方法は多数存在する。この点において、図面は概略的なものであり、各々が本発明の可能な実施例の１つを表しているに過ぎない。したがって、図面は種々の機能を異なるブロックとして示しているが、これにより、単一のハードウェアまたはソフトウェアがいくつかの機能を実行することを除外するものでは決してない。また、それにより、ハードウェアもしくはソフトウェアまたはその両方の組み合わせが１つの機能を実行することを除外するものでもない。以上の記載は、図面を参照した詳細な説明が、本発明を例示するものであり、制限するものではないことを明示するものである。添付の特許請求の範囲に含まれる変形例は多数存在する。請求項のいかなる参照符号も、請求項を制限するものとして解釈されるべきではない。「具える」という用語は、請求項に記載した以外の要素またはステップの存在を除外するものではない。
【図面の簡単な説明】
【００７５】
【図１】ビデオプロセッサを具えるビデオディスプレイセットを示すブロック図である。
【図２】ビデオプロセッサの第１の実施例を示すブロック図である。
【図３】第１実施例のビデオプロセッサ内で行われるサンプリング動作を示すタイムチャートである。
【図４】ビデオプロセッサの第２の実施例を示すブロック図である。
【図１】
2009501481.tif 000003
【図２】
2009501481.tif 000004
【図３】
2009501481.tif 000005
【図４】
2009501481.tif 000006
【国際調査報告】
2009501481.tif 000007
2009501481.tif 000008